(57)【要約】  本発明は、ドア本体の開閉動作性能を維持しつつ、戸閉状態でドア本体の下端部とかご敷居との隙間をより確実に密封することができ、かつ駆動部が乗客に見えない位置に設けられ、意匠上問題なく駆動できるエレベーター装置を提供することにある。  ドア本体（４）の下端部のかご敷居溝（９ａ）内に設けられ戸閉動作によって押圧される押圧部（１０）と、前記ドア本体（４）内部に設けられ戸閉状態のときに前記押圧部（１０）が押圧されることによって下部遮蔽体（１９）を下降させて前記ドア本体（４）の下端部とかご敷居（９）との隙間を密封させ、戸開状態のときに前記下部遮蔽体（１９）が前記かご敷居（９）から開離するように、前記下部遮蔽体（１９）を上下動させる連動機構（８）とを備えて構成する。
2014030217.tif 000002
【特許請求の範囲】
【請求項１】
出入口を開閉するドア本体と、戸閉状態のときに前記ドア本体の下端部とかご敷居との隙間を密封する上下動可能に設けられた下部遮蔽体とを有してなるエレベーター装置において、
前記ドア本体の下端部のかご敷居溝内に設けられ戸閉動作によって押圧される押圧部と、前記ドア本体内部に設けられ戸閉状態のときに前記押圧部が押圧されることによって前記下部遮蔽体を下降させて前記ドア本体の下端部とかご敷居との隙間を密封させ、戸開状態のときに前記下部遮蔽体が前記かご敷居から開離するように、前記下部遮蔽体を上下動させる連動機構とを備えて構成したことを特徴とするエレベーター装置。
【請求項２】
請求項１に記載のエレベーター装置おいて、前記下部遮蔽体を上下運動させるため、前記ドア本体の内部に配置され、前記ドア本体の戸閉動作時に上昇し、前記ドア本体の戸開動作時には自重により下降する釣り合い錘とを備えて構成したことを特徴とするエレベーター装置。
【請求項３】
請求項１に記載のエレベーター装置おいて、ドア戸閉動作時に押圧される押圧部がスライド機構によって水平移動することを特徴とするエレベーター装置。
【請求項４】
請求項１に記載のエレベーター装置おいて、ドア戸閉動作時に押圧される押圧部が回転移動することを特徴とするエレベーター装置。
【発明の詳細な説明】
【技術分野】
【０００１】
本発明は、かご出入口を開閉するドア本体を備えたエレベーター装置に関する。
【背景技術】
【０００２】
気密性を要するエレベーターのかごドア装置では、戸閉状態のときにかごドアの下端部とかご敷居との隙間を密封する遮蔽体がドア下端部に設けられている。【０００３】
この遮蔽体は、ドアの端縁よりも外方へ突出するように設けられた押圧部に連結されており、押圧部が押圧されることによって、戸閉時にかごドアの下端部とかご敷居との隙間を密封していた。
【先行技術文献】
【特許文献】
【０００４】
【特許文献１】実開昭５２−０６１０６９
【発明の概要】
【発明が解決しようとする課題】
【０００５】
特許文献１に示す構造では、戸閉時に押圧される押圧部が、ドア外部の乗客に見えうる位置に配設されていることから、意匠上好ましくないという問題点があった。【０００６】
本発明の目的は、前述した従来技術における課題を解決するために、押圧部をかご敷居溝内に配設し、戸閉時にかごドアの下端部とかご敷居との隙間を密封するエレベーター装置を提供することにある。
【課題を解決するための手段】
【０００７】
本発明は上記目的を達成するために、出入口を開閉するドア本体と、戸閉状態のときに前記ドア本体の下端部とかご敷居との隙間を密封する上下動可能に設けられた下部遮蔽体とを有してなるエレベーター装置において、前記ドア本体の下端部のかご敷居溝内に設けられ戸閉動作によって押圧される押圧部と、前記ドア本体内部に設けられ戸閉状態のときに前記押圧部が押圧されることによって前記下部遮蔽体を下降させて前記ドア本体の下端部とかご敷居との隙間を密封させ、戸開状態のときに前記下部遮蔽体が前記かご敷居から開離するように、前記下部遮蔽体を上下動させる連動機構とを備えて構成したことを特徴とする。
【発明の効果】
【０００８】
本発明によれば、乗客から見えない位置に押圧部を設けることによって、意匠を損ねることなく、戸閉時にかごドア下端部とかご敷居との隙間を密封することができる。【０００９】
さらに、ドア下端部近傍範囲内でコンパクトにドア本体の下端部とかご敷居との隙間を密封できる。
【図面の簡単な説明】
【００１０】
【図１】この発明の実施の形態１によるエレベーターのかごドア装置を示す背面図である。
【図２】図１の要部を示す拡大図である。
【図３】図２のａ―ａに沿う断面図である。
【図４】図２のｂ−ｂに沿う断面図である。
【図５】この発明の実施の形態２によるエレベーターかごドア装置の要部を示す拡大図である。
【発明を実施するための形態】
【００１１】
以下、本発明の実施形態について詳しく説明する。
【実施例１】
【００１２】
図１はこの発明の実施の形態１によるエレベーターのかごドア装置を示す背面図（昇降路側から見た図）、図２は図１の要部を示す拡大図、図３はａ―ａ線に沿う断面図、図４は図ｂ―ｂ線に沿う断面図である。【００１３】
図において、かご出入口１の上方には、ドア装置筐体２が固定されている。【００１４】
ドア装置筐体２には、かご出入口１の間口方向に沿って延びるドアレール３が固定されている。【００１５】
かご出入口１は、一対のドア本体４がドアレール３によって案内されて水平方向に変位することで開閉される。【００１６】
一対のドア本体４はそれぞれ、ドアパネル５と、このドアパネル５の上端部に固定されたドアハンガ６と、このドアハンガ６に設けられドアレール３に沿って転動される複数のハンガローラ７とを有して構成されている。【００１７】
ドア本体４は、ドア装置に搭載されたドアモータの駆動力によって開閉される。【００１８】
各ドア本体４の下端部には、複数の戸の脚２３が取り付けられており、この戸の脚２３は、ドアパネル５の背面下部に固定された補強部材（図示せず）に固定されている。【００１９】
また、かご出入口１の床部には、かご出入口１の間口方向に沿って延設させるかご敷居９が固定されており、このかご敷居９には、戸の脚２３が挿入されて各ドア本体４の下端部の開閉を案内する敷居溝９ａが設けられている。【００２０】
また、ドア本体４の下端部には、戸閉状態のときにドア本体４の下端部とかご敷居９との間の隙間を密封する下部遮蔽体１９が上下動可能に設けられており、この下部遮蔽体１９は、可動板２０と、可動板２０の下端部に固定されかご敷居９に接離するシール部材２１とを有している。【００２１】
シール部材２１は、たとえばゴム又は樹脂等の弾性体からなり、ドア本体４の幅方向全体に渡って延びており、敷居溝９ａよりもかご側でかご敷居９の上面に接離する。【００２２】
次に、動作について説明する。【００２３】
戸閉状態のときには、左右両ドアの押圧部１０がお互いに戸閉動作によって押圧し合い、押圧部１０に取り付けられたバー１１が、スライド機構１２によって間口方向に水平に移動する。【００２４】
このバー１１の水平移動によって、レバー１３が回転中心１３ａを中心に反時計方向に回転し、このレバー１３の回転によって、レバー１３に連結されたバー１４はかご出入口１の方向(図２中左側)に移動する。【００２５】
そしてこのバー１４の移動によって、レバー１５は回転中心１５ａを中心に時計方向に回転し、レバー１５に連結されたバー１６が下降する。【００２６】
次に、バー１６が下降することによって、バー１６に連結された可動板２０が、スライド機構２２に沿って下降し、この可動板２０が下降することによって、可動板２０に固定されたシール部材２１も下降し、かご敷居９に押し付けられる。【００２７】
ここで、シール部材２１がかご敷居９に押し付けられることによって、ドア本体４の下端部とかご敷居９との隙間が密封される。【００２８】
また、バー１６が下降することによって、バー１６に連結されたレバー１７が、回転中心１７ａを中心に反時計方向に回転し、このレバー１７の回転によって、レバー１７に連結された釣り合い錘１８が上昇する。【００２９】
この戸閉状態から、ドア本体４の戸開動作が開始されると、押圧されていた押圧部１０の押圧状態が非押圧状態となる。【００３０】
これにより、レバー１７は、釣り合い錘１８の自重による下降によって、回転中心１７ａを中心に時計方向へ回転し、このレバー１７の回転によってレバー１７に連結されたバー１６が上昇する。【００３１】
そして、バー１６が上昇することにより、バー１６に連結されている可動板２０が上昇し、この可動板２０が上昇することにより、可動板２０に固定されているシール部材２１が上昇する。【００３２】
なお、本発明でいう連動機構８は、上述した通り、戸閉状態のときに下部遮蔽体１９を下降させ、戸開状態のときに下部遮蔽体１９がかご敷居９から開離するように、下部遮蔽体１９を上下動させる連動機構であり、具体的には、押圧部材１０の変位に応じて水平移動するバー１１と、このバー１１の水平移動を案内するスライド機構１２と、前記バー１１の水平移動に応じて回転中心１３ａを中心に反時計方向に回転するレバー１３と、このレバー１３の回転によってかご出入口１の方向(図２中左側)に移動するバー１４と、このバー１４の移動によって回転中心１５ａを中心に時計方向に回転するレバー１５と、このレバー１５の回転に応じて下降し下部遮蔽体１９をかご敷居９に当接させるバー１６と、このバー１６が下降することによって回転中心１７ａを中心に反時計方向に回転し連結された釣り合い錘１８を上昇させるレバー１７とを備えて形成されている。【００３３】
このように本発明のかごドア装置によれば、押圧部１０の移動と釣り合い錘１８の上下動を利用して下部遮蔽体１９を上下動作させることができるので、ドア本体４の開閉動作性能を維持しつつ、戸閉状態でドア本体４の下端部とかご敷居９との隙間を確実に密封することができる。【００３４】
従って、気密性・遮煙性・遮音性・遮光性を高めることができる。【００３５】
さらに、押圧部１０は、ドア本体４が完全戸閉位置から所定の範囲内にあるときのみ稼動し、かご敷居溝９ａ内に位置するので、ドア本体４の動作に対して下部遮蔽体１９の動作を小さく抑えることができる。【００３６】
また、下部遮蔽体１９の昇降動作のためにモータ等の専用の駆動源を用いる必要が無く、コストを低減できる。【００３７】
さらに、下部遮蔽体１９は鉛直方向に昇降されるので、ドア本体４の幅方向全体に渡って下部遮蔽体１９を設けることができ、また、下部遮蔽体１９がその変位に伴ってドア本体４の幅方向端部から突出するのを防止できる。【００３８】
このように、乗客から見えない位置である敷居溝９ａ内に押圧部１０を設け、同じく乗客から見えない位置であるドア本体４の内部に連動機構８と、下部遮蔽体１９および釣り合い錘１８とを設けることによって、意匠を損ねることなく、戸閉時にドア本体４の下端部とかご敷居９との隙間を密封することができる。【００３９】
また、シール部材２１を弾性体で構成したので、製作誤差や据付誤差を弾性体の弾性変形により吸収させることができ、シール部材２１をかご敷居９に密着させることができる。【００４０】
また、バー１６は上下方向のみではなく回転方向へ可動するため、ドア本体４の下端部とかご敷居９との隙間のばらつきに対して、下部遮蔽体１９の昇降ストロークの微調整が可能であり、かつその調整作業が容易である。【００４１】
さらにまた、釣合い錘１８の昇降領域をドアパネル５の内側に収め、下部遮蔽体１９及び連動機構８をドアパネル５の下端部付近に配置することができるので、全体をコンパクトに構成でき、ドアパネル５にカバーが設けられている製品やドアパネル５に補強部材が固定されている製品にも容易に適用することができる。
【実施例２】
【００４２】
次に、図５はこの発明の第２の実施例によるエレベーターかごドア装置の要部を示す拡大図である。【００４３】
戸閉状態のときには、左右両ドアの押圧部１０がお互いに戸閉動作によって押圧し合い、押圧部１０に取り付けられたレバー２４が、回転中心２４ａを中心に反時計方向に回転する。【００４４】
レバー２４の回転によって、レバー２４に連結されたバー１４はかご出入口１の方向に移動する。他の構成は、実施例１と同様である。【００４５】
前記のように連動機構８にスライド機構を用いない構造とすることにより、かごの戸の軽量化及び材料コストの低減を図ることができる。【００４６】
また、レバー２４の回転運動は水平運動と比較して高い精度を必要としないことから、製作誤差や据付誤差による影響を小さくすることができる。
【符号の説明】
【００４７】
１  かご出入口、２  ドア装置筐体、３  ドアレール、４  ドア本体、５  ドアパネル、
６  ドアハンガ、７  ハンガローラ、８  連動機構、９  かご敷居、１０  押圧部、
１１  バー、１２  スライド機構、１３  レバー、１３ａ  回転中心、１４  バー、
１５  レバー、１５ａ  回転中心、１６  バー、１７  レバー、１７ａ  回転中心、
１８  釣り合い錘、１９  下部遮蔽体、２０  可動板、２１  シール部材、
２２  スライド機構、２３  戸の脚、２４  レバー、２４ａ  回転中心
【図１】
2014030217.tif 000003
【図２】
2014030217.tif 000004
【図３】
2014030217.tif 000005
【図４】
2014030217.tif 000006
【図５】
2014030217.tif 000007
【国際調査報告】
2014030217.tif 000008
2014030217.tif 000009
2014030217.tif 000010
2014030217.tif 000011